【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データのうち第２の走査線上のコレステリック液晶に対応する前記画像データの他部が前記中間調以外の同一階調に揃っている前記第２の走査線を検出する検出回路と、
前記検出回路による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動し、前記第１の周期、前記第２の周期におけるリセット期間、選択期間、保持期間の各期間は、選択期間が重複しないように、パイプライン式に前記第１の走査線を順次選択して駆動することにより、複数の前記第１の走査線上のコレステリック液晶が表示すべき前記画像データの前記一部を表示する第１の駆動回路と、
前記検出回路による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動し、前記第３の周期、前記第４の周期におけるリセット期間、保持期間の各期間は、複数の前期第２の走査線を同時に一括選択して駆動することにより、複数の前記第２の走査線上のコレステリック液晶が表示すべき前記画像データの前記他部を表示する第２の駆動回路、又は、前記第３の周期、前記第４の周期におけるリセット期間、保持期間の各期間は、選択期間分だけタイミングをずらして、前記第２の走査線を順次選択して駆動することにより、複数の前記第２の走査線上のコレステリック液晶が表示すべき前記画像データの前記他部を表示する第２の駆動回路とを含むことを特徴とするコレステリック液晶の駆動装置。
【請求項２】
複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データの
うち第２の走査線上のコレステリック液晶に対応する前記画像データの他部が前記中間調以外の同一階調に揃っている前記第２の走査線を検出する検出工程と、
前記検出工程による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動し、前記第１の周期、前記第２の周期におけるリセット期間、選択期間、保持期間の各期間は、選択期間が重複しないように、パイプライン式に前記第１の走査線を順次選択して駆動することにより、複数の前記第１の走査線上のコレステリック液晶が表示すべき前記画像データの前記一部を表示する第１の駆動工程と、
前記検出工程による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動し、前記第３の周期、前記第４の周期におけるリセット期間、保持期間の各期間は、複数の前期第２の走査線を同時に一括選択して駆動することにより、複数の前記第２の走査線上のコレステリック液晶が表示すべき前記画像データの前記他部を表示する第２の駆動工程、又は、前記第３の周期、前記第４の周期におけるリセット期間、保持期間の各期間は、選択期間分だけタイミングをずらして、前記第２の走査線を順次選択して駆動することにより、複数の前記第２の走査線上のコレステリック液晶が表示すべき前記画像データの他部を表示する第２の駆動工程とを含むことを特徴とするコレステリック液晶の駆動方法。
【手続補正２】
【補正対象書類名】明細書
【補正対象項目名】０００５
【補正方法】変更
【補正の内容】
【０００５】
本発明に係るコレステリック液晶の駆動は、複数の走査線及び複数のデータ線が相互に交差する位置に各々が設けられた複数のコレステリック液晶であって、前記走査線及び前記データ線間の電圧によりＰ配向、Ｆ配向及びＨ配向のいずれかに規定される前記複数のコレステリック液晶により表示すべき２階調以上の画像データのうち第１の走査線上のコレステリック液晶に対応する前記画像データの一部が中間調以外の同一階調に揃っていない前記第１の走査線、及び前記画像データのうち第２の走査線上のコレステリック液晶に対応する前記画像データの他部が前記中間調以外の同一階調に揃っている前記第２の走査線を検出する検出機能と、前記検出機能による前記第１の走査線の検出の結果に従って、前記コレステリック液晶をＨ配向にリセットするためのリセット期間、前記Ｈ配向にリセットされた前記コレステリック液晶をＴＰ配向に選択するための選択期間、及び前記ＴＰ配向に選択された前記コレステリック液晶をＦ配向に保持するための保持期間からなる第１の周期、及び前記コレステリック液晶をＨ配向にリセットするためのリセット期間、前記Ｈ配向にリセットされた前記コレステリック液晶をＨ配向に選択するための選択期間、及び前記Ｈ配向に選択された前記コレステリック液晶をＰ配向に保持するための保持期間からなる第２の周期に従って前記第１の走査線上の前記コレステリック液晶を駆動し、前記第１の周期、前記第２の周期におけるリセット期間、選択期間、保持期間の各期間は、選択期間が重複しないように、パイプライン式に前記第１の走査線を順次選択して駆動することにより、複数の前記第１の走査線上のコレステリック液晶が表示すべき前記画像データの前記一部を表示する第１の駆動機能と、前記検出機能による前記第２の走査線の検出の結果に従って、前記コレステリック液晶をＨ配向にリセットするためのリセット期間及び前記Ｈ配向にリセットされた前記コレステリック液晶をＦ配向に保持するための保持期間からなる第３の周期、又は前記コレステリック液晶をＨ配向にリセットするためのリセット期間であって当該リセット期間の終期に前記Ｈ配向にリセットされている前記コレステリック液晶をＴＰ配向に遷移させる前記リセット期間からなる第４の周期に従って前記第２の走査線上のコレステリック液晶を駆動し、前記第３の周期、前記第４の周期におけるリセット期間、保持期間の各期間は、複数の前期第２の走査線を同時に一括選択して駆動することにより、複数の前記第２の走査線上のコレステリック液晶が表示すべき前記画像データの前記他部を表示する第２の駆動回路、又は、前記第３の周期、前記第４の周期におけるリセット期間、保持期間の各期間は、選択期間分だけタイミングをずらして、前記第２の走査線を順次選択して駆動することにより、複数の前記第２の走査線上のコレステリック液晶が表示すべき前記画像データの前記他部を表示する第２の駆動機能とを含む。
【手続補正３】
【補正対象書類名】明細書
【補正対象項目名】００１８
【補正方法】変更
【補正の内容】
【００１８】
第１の駆動回路及び第２の駆動回路である走査制御部５は、行間解析部４による画像８の解析結果に基づき、後述の文字行駆動法（図５）又は行間駆動法（図６）に従って、ゲートドライバ７にゲート線Ｙ１〜Ｙｎを駆動させる。
【手続補正４】
【補正対象書類名】明細書
【補正対象項目名】００２３
【補正方法】変更
【補正の内容】
【００２３】
より具体的には、行間駆動法では、コレステリック液晶２ｂをＦ配向にすることにより”黒”を表示すべく、図６（Ａ）に示されるように、リセット期間Ｔｒでリセット電圧（Ｖ３以上）の印加によりＨ配向にし、保持期間Ｔｈで保持電圧（Ｖ２以上Ｖ３以下）の印加によりＦ配向にし、これにより、コレステリック液晶２ｂは、保持期間Ｔｈの後にＦ配向の状態、即ち、”黒”の状態を維持する。他方で、コレステリック液晶２ｂをＰ配向にすることにより”白”を表示すべく、図６（Ｂ）に示されるように、リセット期間Ｔｒでリセット電圧（Ｖ３以上）の印加によりＨ配向にし、リセット期間Ｔｒの後にＴＰ配向を経てＰ配向に遷移させ、これにより、コレステリック液晶２ｂは、Ｐ配向の状態、即ち、”白”の状態を維持する。
【手続補正５】
【補正対象書類名】明細書
【補正対象項目名】００３０
【補正方法】変更
【補正の内容】
【００３０】
より詳しくは、ゲートドライバ７は、ゲート線Ｙ１上の画素Ｐ１１〜Ｐｍ１に、時刻ｔ０から時刻ｔ４までのリセット期間Ｔｒに亘りリセット電圧Ｖｒを印加し、時刻ｔ４から時刻ｔ６までの選択期間Ｔｓに亘り選択電圧Ｖｓを印加し、時刻ｔ６から時刻ｔ１０までの保持期間Ｔｈに亘り保持電圧Ｖｈを印加させる。ゲートドライバ７は、また、走査線群であるゲート線Ｙ２〜Ｙ４上の画素Ｐ１２〜Ｐｍ２、Ｐ１３〜Ｐｍ３、Ｐ１４〜Ｐｍ４に、時刻ｔ０〜時刻ｔ４までのリセット期間Ｔｒに亘りリセット電圧Ｖｒを印加し、同様にして、走査線群であるＹ７〜Ｙ９、走査線群であるＹ１２〜Ｙ１４上の画素にも印加電圧を与える。ゲートドライバ７は、さらに、ゲート線Ｙ５の画素Ｐ１５〜Ｐｍ５に、時刻１から時刻ｔ６までのリセット期間Ｔｒに亘りリセット電圧Ｖｒを印加し、時刻ｔ６から時刻８までの選択期間Ｔｓに亘り選択電圧Ｖｓを印加し、時刻ｔ８から時刻１２までの保持期間Ｔｈに保持電圧Ｖｈを印加する。
【手続補正６】
【補正対象書類名】明細書
【補正対象項目名】００３１
【補正方法】変更
【補正の内容】
【００３１】
ゲートドライバ７は、換言すれば、（１）時刻ｔ０に、ゲート線Ｙ１についてパイプライン方式の文字行駆動法におけるリセット期間Ｔｒでのリセット電圧Ｖｒの印加及びゲートＹ２〜Ｙ４について行間駆動法におけるリセット期間Ｔｒでのリセット電圧Ｖｒの印加を開始し、（２）時刻ｔ１に、ゲート線Ｙ５についてパイプライン方式の文字行駆動方法におけるリセット期間Ｔｒでのリセット電圧Ｖｒの印加を開始し、（３）時刻ｔ４に、ゲート線Ｙ１についてパイプライン方式の文字行駆動法における選択期間Ｔｓでの選択電圧Ｖｓの印加を開始すると共に、ゲート線Ｙ２〜Ｙ４について行間駆動法におけるリセット期間Ｔｒでのリセット電圧Ｖｒの印加を終了し、（４）時刻ｔ６に、ゲート線Ｙ１についてパイプライン方式の文字行駆動法における保持期間Ｔｈでの保持電圧Ｖｈの印加を開始すると共に、ゲート線Ｙ５についてパイプライン方式の文字行駆動法における選択期間Ｔｓでの選択電圧Ｖｓの印加を開始し、（５）時刻ｔ８に、ゲート線Ｙ５についてパイプライン方式の文字行駆動方法における保持期間Ｔｈでの保持電圧Ｖｈの印加を開始し、（６）時刻ｔ１０に、ゲート線Ｙ１についてパイプライン方式の文字行駆動法における保持期間Ｔｈでの保持電圧Ｖｈの印加を終了し、（７）時刻ｔ１２に、ゲート線Ｙ５についてパイプライン方式の文字行駆動法での保持期間Ｔｈでの保持電圧Ｖｈの印加を終了する。
【手続補正７】
【補正対象書類名】明細書
【補正対象項目名】００３３
【補正方法】変更
【補正の内容】
【００３３】
図９は、具体例のコレステリック液晶の駆動装置の他の駆動動作を示すタイムチャート
である。図２に図示された画像８の一部である行間ＢＬ１、ＢＬ２、ＢＬ３に対応する走査線群であるゲート線Ｙ２〜Ｙ４、行間ＢＬ４〜ＢＬ６に対応する走査線群であるゲート線Ｙ７〜Ｙ９、行間ＢＬ７〜ＢＬ９に対応する走査線群であるゲート線Ｙ１２〜Ｙ１４を駆動する周期を相互に同一にする、即ち、同期させる図８に図示された駆動動作と異なり、図９に図示される他の駆動動作では、ゲート線Ｙ２〜Ｙ４、ゲート線Ｙ７〜９、ゲート線Ｙ１２〜Ｙ１４を駆動する周期を、選択期間Ｔｓの長さずつずれるように、即ち、非同期的にさせる。これにより、ゲート線Ｙ２〜Ｙ４、ゲート線Ｙ７〜Ｙ９、ゲート線Ｙ１２〜Ｙ１４を同時に駆動する図８に図示の駆動動作に比較して、ゲート線Ｙ２〜Ｙ４、Ｙ７〜Ｙ９、Ｙ１２〜Ｙ１４の駆動により発生する、Ｘ方向に平行な複数の線からなる縞模様が明確になることを抑えることが可能になる。
【手続補正８】
【補正対象書類名】明細書
【補正対象項目名】００３４
【補正方法】変更
【補正の内容】
【００３４】
図１０は、具体例のコレステリック液晶の駆動装置の更に他の駆動動作を示すタイムチャートである。駆動装置１は、例えば、走査線群ゲート線を構成するゲート線Ｙ２、Ｙ３、Ｙ４の３つのゲート線を同時に、即ち同期的に駆動する図９に図示の駆動動作と異なり、図１０に図示の駆動動作では、例えば、前記３つのゲート線Ｙ２、Ｙ３、Ｙ４を選択期間Ｔｓの長さずつずれるように、即ち非同期的に駆動する。これにより、ゲート線Ｙ２〜Ｙ４を同期的に駆動する図９に図示の駆動動作に比較して、上記した縞模様が明確になることをより一層抑えることが可能となる。
【手続補正９】
【補正対象書類名】図面
【補正対象項目名】図６
【補正方法】変更
【補正の内容】
【図６】
2005208343.tif 000001